(57)【要約】【課題】液晶テレビジョン等の映像表示部が比較的軽量なテレビジョン受信機において、ユーザが映像表示部を見やすい角度に変更させても、アンテナの設置角度には影響を与えることがなく、設置調整が容易で、常に良好な受信状態とする。【解決手段】液晶ディスプレイ１は、従来周知のジョイント６でテレビ台５の支柱４と接続されており、ジョイント６によりテレビ台５に対して画面の向きを上下左右に調整可能である。屋内用アンテナ２は、支柱４の上端で従来周知の可動機構７を介して接続され、支柱４に対する向きを調整可能である。液晶ディスプレイ１と屋内用アンテナ２は、それぞれ独立して角度調整を行うことができる。【選択図】図１
2005123705.tif 000002
【特許請求の範囲】
【請求項１】
アンテナと映像表示部を有するテレビジョン受信機セットにおいて、
前記映像表示部と前記アンテナの間に前記映像表示部の向きを変更可能なジョイント機構付構造物を介在させ、前記アンテナを前記ジョイント機構付構造物に取り付け、前記映像表示部の設置角度を変更しても前記アンテナの設置角度は変更されないことを特徴とするテレビジョン受信機セット。
【請求項２】
テレビジョン受信機と、テレビ台と、アンテナからなるテレビジョン受信機セットにおいて、
前記テレビ台は前記テレビジョン受信機を係止するジョイント機構を有し、前記アンテナは前記テレビ台に設置され、前記テレビジョン受信機は前記ジョイント機構を介して設置角度が調整可能であることを特徴とするテレビジョン受信機セット。
【請求項３】
請求項２記載のテレビジョン受信機セットにおいて、
前記テレビジョン受信機はフラットパネルディスプレイを用いたテレビジョン受信機であり、前記テレビ台は台座と支柱からなり、前記アンテナは前記支柱に取り付けられていることを特徴とするテレビジョン受信機セット。
【発明の詳細な説明】
【技術分野】
【０００１】
本発明は、テレビジョン受信機と屋内用アンテナとからなるテレビジョン受信機セットに関し、特に地上波デジタル放送等を受信するテレビジョン受信機セットに好適に適用され、映像表示部の設置角度調整を行ってもアンテナの向きは変わらず、アンテナの向きを調整する必要がないテレビジョン受信機セットに関する。
【背景技術】
【０００２】
従来、テレビジョン受信機に搭載されるアンテナは、受信機筐体に直接取り付けられるのが一般的で、使用者が映像表示部を見やすい設置角度に変更すると、アンテナの向きも同時に変わってしまい、受信状態に影響を与えていた。
これは、アンテナの取り付け部位とテレビジョン受信機の映像表示部が直接結合されていたためで、映像表示部の設置角度を変更した後は、アンテナの向きを元の向きに戻す必要があった。例えば、特許文献１には、テレビジョン受信機に屋内用アンテナを取り付ける構造や、屋内用アンテナを卓上構造にしてテレビジョン受信機筐体の天面等に設置する構成が開示されている。
また、特許文献２には、通信機器筐体へアンテナを取り付ける提案がなされているが、アンテナの収納方法を目的にしており、画面角度調整とアンテナ設定角度が互いに影響されないことを目的にした本発明とは異なる。
【特許文献１】特開平０９−２７５３０８号公報
【特許文献２】特開平１１−１７７３１７号公報
【発明の開示】
【発明が解決しようとする課題】
【０００３】
地上波デジタル放送では、屋内においてもアンテナの設置位置により受信状態が大きく影響を受けるという特性がある。そのため、屋内用アンテナの向き等は受信状態が最適となるような位置に固定したいという要求がある。その反面、使用者は自分の位置に応じて見やすい方向へテレビジョン受信機の画面を向けたいという要求がある。このため、従来の屋内用アンテナの設置方法、つまり屋内用アンテナをテレビジョン受信機筐体の天面に設置する等の方法では、テレビジョン受信機の向きを変えるとそれに伴いアンテナの向きも変わってしまい、テレビジョン信号の受信感度も影響を受けてしまうという問題がある。
【０００４】
ところで、従来の屋内用アンテナをテレビジョン受信機筐体の天面等に設置するという構造は、テレビジョン受信機筐体の形状が箱型であることに起因するものと考えられる。そして、テレビ台は、その箱型のテレビジョン受信機筐体を載置するためにテレビジョン受信機筐体と同様に箱型の形状となっている。
【０００５】
一方、近年、液晶技術やプラズマ技術を用いた所謂フラットパネルディスプレイ（以下、ＦＰＤという）が実用化されている。このようなＦＰＤを採用したテレビジョン受信機は、従来の箱型から薄い板状型となるため、それを支えるテレビ台の形状も従来の箱型からスタンド型に変化してきている。
【０００６】
このため、ＦＰＤを採用したテレビジョン受信機においては、屋内用アンテナの設置場所も、従来のようにテレビジョン受信機筐体の天面等に設置するという構造は好ましくない。
本発明は、以上のようなテレビジョン受信機の形状の変化、及びこれに伴うテレビ台の形状の変化に鑑み、テレビジョン受信機の向きを変えてもアンテナの向きを変えたくないという課題を解決するためのテレビジョン受信機セットの構造を提案するものである。
【課題を解決するための手段】
【０００７】
本発明は、上記課題を解決するため以下のような手段を講じた。
すなわち、請求項１に係る発明は、アンテナと映像表示部を有するテレビジョン受信機セットにおいて、前記映像表示部と前記アンテナの間に前記映像表示部の向きを変更可能なジョイント機構付構造物を介在させ、前記アンテナを前記ジョイント機構付構造物に取り付け、前記映像表示部の設置角度を変更しても前記アンテナの設置角度は変更されないことを特徴とする。
【０００８】
請求項２に係る発明は、テレビジョン受信機と、テレビ台と、アンテナからなるテレビジョン受信機セットにおいて、前記テレビ台は前記テレビジョン受信機を係止するジョイント機構を有し、前記アンテナは前記テレビ台に設置され、前記テレビジョン受信機は前記ジョイント機構を介して設置角度が調整可能であることを特徴とする。
【０００９】
請求項３に係る発明は、請求項２記載のテレビジョン受信機セットにおいて、前記テレビジョン受信機はフラットパネルディスプレイを用いたテレビジョン受信機であり、前記テレビ台は台座と支柱からなり、前記アンテナは前記支柱に取り付けられていることを特徴とする。
【発明の効果】
【００１０】
従来の屋内用アンテナの設置方法のように、屋内用アンテナをテレビジョン受信機筐体の天面に設置するといった方法では、テレビジョン受信機筐体の設置角度を変更すると、それに伴い屋内用アンテナの設置角度も変更されるから、テレビジョン受信機筐体の設置角度を変更した後にアンテナの向きを再調整しなければならなかった。
本発明により、液晶テレビジョン等の映像表示部が比較的軽量な受信機において、ユーザが映像表示部を見やすい角度に設置角度を変更させても、機構上アンテナの設置角度には影響を与えることがなく、設置調整に優れ、常に最良の受信状態を保持することができる。
【発明を実施するための最良の形態】
【００１１】
本発明は、アンテナと映像表示部を具備するテレビジョン受信機セットにおいて、前記映像表示部と前記アンテナの間に映像表示部の向きが変更可能なジョイント機構付構造物を介在させ、前記アンテナを前記ジョイント機構の不動側に取り付け、前記映像表示部の設置角度を変更しても前記アンテナの設置角度は変更されないことを特徴とし、これにより、映像表示部とアンテナは各々独自に角度調整が可能なように可動ジョイント等のジョイント機構付構造物となるスタンドや壁掛けアングルなどに結合されている。その上で中間筺体となるスタンドや壁掛けアングル等の構造物は卓上や壁面などに固定（完全な固定状態でなくても良い）される構造とすることで映像表示部の角度を変更してもアンテナの向きが変わることはない。
【実施例１】
【００１２】
本発明に係るテレビジョン受信機セットの構造について、フラットパネルディスプレイ（ＦＰＤ）が液晶ディスプレイ（ＬＣＤ）である場合の液晶テレビを用いた実施例を以下に説明する。
図１は、実施例１の卓上型（または床置き型）液晶テレビジョン受信機セットを示す図で、図１（Ａ）は正面図、図１（Ｂ）は背面図、図１（Ｃ）は側面図である。
図１に示すテレビジョン受信機セットは、設置筐体としてスタンドを設け、そこにアンテナを取り付けた構成で、１は液晶ディスプレイ、２は屋内用アンテナ、５はテレビ台、３はテレビ台５の台座、４はテレビ台５の支柱、６は液晶ディスプレイ１をテレビ台に取り付けるジョイント、７は屋内用アンテナ２の可動機構である。
【００１３】
液晶ディスプレイ１は、ジョイント６でテレビ台５の支柱４と接続されており、液晶ディスプレイ１はこのジョイント６によりテレビ台５に対して画面の向きを上下左右に調整できるようになっている。なお、ジョイント６の構造については従来より知られている構造を利用することができるので、具体的な構造についての詳細な説明は省略する。
【００１４】
一方、屋内用アンテナ２は、支柱４の上端に可動機構７を介して接続されている。屋内用アンテナ２は、この可動機構７により支柱４に対する向きを調整できるようになっている。なお、ジョイント部６と同様に可動機構７の構造については、従来より知られている構造を利用することができるので具体的な構造についての詳細な説明は省略する。
【００１５】
以上のような実施例１のテレビジョン受信機セットは、液晶ディスプレイ１の向きを調整してもそれを支えるテレビ台５の向きがそれに伴い変わることがなく、また屋内用アンテナ２は、テレビ台５の一部である支柱４に設置されているので、液晶ディスプレイ１の向きを調整してもそれによりアンテナの向きが変わることがない。
【００１６】
すなわち、実施例１のように、テレビジョン受信機本体に液晶ディスプレイのようなＦＰＤを用いることで、テレビ台をそのＦＰＤを背面から支える支柱と台座からなる構成とすることができ、このようなテレビ台の構造により屋内用アンテナをそのテレビ台の支柱に取り付けることによって、ＦＰＤの向きを調整しても屋内用アンテナの向きが変わらないというテレビジョン受信機セットが実現できる。
【００１７】
図２は、実施例１の卓上型（または床置き型）液晶テレビジョン受信機セットの変形例１を示す図で、図２（Ａ）は正面図、図２（Ｂ）は背面図、図２（Ｃ）は側面図である。
図１に示す実施例１のテレビジョン受信機セットでは、屋内用アンテナ２を支柱４の上端部に取り付ける構成を示したが、図２の変形例１に示すように液晶ディスプレイ１と台座３との間の隙間部分に屋内用アンテナ２が覗くように支柱４に屋内用アンテナ２を設置しても良い。
【００１８】
図３は、実施例１の卓上型（または床置き型）液晶テレビジョン受信機セットの好ましくない変形例２を示す図で、図３（Ａ）は正面図、図３（Ｂ）は背面図、図３（Ｃ）は側面図である。
図２の変形例に示すテレビジョン受信機セットの構成は、上方向にスペース上の制限があるような場所に設置したい場合に有効である。ただし、図３に示す変形例２ように屋内用アンテナ２が液晶ディスプレイ１の影に隠れてしまうような位置への設置は好ましくない。液晶ディスプレイ１がテレビジョン電波の受信の障害物となってしまうからである。
なお、図２、図３において、図１と同じ構成要素については同じ符号を付し、説明は省略している。
【実施例２】
【００１９】
次に、本発明の実施例２のテレビジョン受信機セットについて、液晶テレビジョン受信機セットを壁掛け型にした場合について説明する。
図４は、実施例２の壁掛け型液晶テレビジョン受信機セットを示す図で、図４（Ａ）は正面図、図４（Ｂ）は背面図、図４（Ｃ）は側面図である。
図４において、８は壁掛け用アングルである。他の構成要素については、図１〜３と同様であり、説明は省略する。
【００２０】
実施例４の液晶テレビジョン受信機セットでは、液晶ディスプレイ１はジョイント６を介して壁掛け用アングル８等の壁面取付具に取り付けられている。ジョイント６により液晶ディスプレイ１の向きが調整できるのは実施例１と同様である。屋内用アンテナ２は壁掛け用アングル８に設置されている。このため、液晶ディスプレイ１の向きを調整しても屋内用アンテナ２の向きが影響を受けることがない。
なお、屋内用アンテナ２の壁掛け用アングル８への設置位置は、液晶ディスプレイ１による電波の受信障害の影響を受けない位置であれば自由に選択してかまわない。
【図面の簡単な説明】
【００２１】
【図１】実施例１の卓上型液晶テレビジョン受信機セットを示す図で、図１（Ａ）は正面図、図１（Ｂ）は背面図、図１（Ｃ）は側面図である。
【図２】実施例１の卓上型液晶テレビジョン受信機セットの変形例１を示す図で、図２（Ａ）は正面図、図２（Ｂ）は背面図、図２（Ｃ）は側面図である。
【図３】実施例１の卓上型液晶テレビジョン受信機セットの好ましくない変形例２を示す図で、図３（Ａ）は正面図、図３（Ｂ）は背面図、図３（Ｃ）は側面図である。
【図４】実施例２の壁掛け型液晶テレビジョン受信機セットを示す図で、図４（Ａ）は正面図、図４（Ｂ）は背面図、図４（Ｃ）は側面図である。
【符号の説明】
【００２２】
１…液晶ディスプレイ、２…屋内用アンテナ、３…台座、４…支柱、５…テレビ台、６…ジョイント、７…可動機構、８…壁掛け用アングル。
【図１】
2005123705.tif 000003
【図２】
2005123705.tif 000004
【図３】
2005123705.tif 000005
【図４】
2005123705.tif 000006